(57)【要約】【課題】簡単な構造の構成にて、操作性がよく、外出場所、服装等にあわせて、連結する場所によって簡単に好みの形状に変化させることができる下げ飾り具を提供する。【解決手段】６種類の大きさの環３（環３ａ乃至環３ｆ）と、３粒に切断した鎖４の構成からなる柔軟性を有する網状の下げ飾り具であって、前記環３は、前記鎖４を介して段階的に変化する状態で連結されており、環３（環３ａ乃至環３ｆ）または１ａ、１ｂ、１ｃ、１ｄの１ヵ所乃至４ヵ所の何れかの部分をイヤリング、ブローチ金具等と連結して吊り下げることにより、形状を変化させて使用ができる。【選択図】図１
0003118498.tif 000002
【実用新案登録請求の範囲】
【請求項１】
柔軟性を有する網状の下げ飾り具であって、前記下げ飾り具の１ヵ所乃至４ヵ所の何れかの部分を金具と連結して吊り下げられることを特徴とした下げ飾り具。
【請求項２】
柔軟性を有する網状の下げ飾り具に宝石を配置したことを特徴とした請求項１記載の下げ飾り具。
【請求項３】
請求項１または請求項２記載の下げ飾り具を用いた装身具であって、
一端に連結金具を、他端に接続材を有する紐状体と、
一端に連結金具を、他端に接続材を有する紐状体に、更に、前記接続材に新たな連結金具を連結して両端に連結金具を有する紐状体とを前記下げ飾り具に連結してなることを特徴とした装身具。
【請求項４】
請求項１または請求項２記載の下げ飾り具を用いた装身具であって、
一端に連結金具を、他端に接続材を有する紐状体に、更に、前記接続材に新たな連結金具を連結して両端に連結金具を有する紐状体と連結してなることを特徴とした装身具。
【考案の詳細な説明】
【技術分野】
【０００１】
本考案は、網状のペンダント、イヤリング等の下げ飾り具において、連結する部分によって形状を変化させて使用できる下げ飾り具及び該下げ飾り具に紐状体のネックレス、ブレスレットを連結して形成した装身具に関する。
【背景技術】
【０００２】
従来、ペンダント、イヤリング等の下げ飾り装身具は単一形状にて使用するものがほとんどで、その単一形状で宝石等を揺れ動かす等の構造で装飾効果を出したりはしているものの、基本的な形状を変えられるものではなかった。
【０００３】
その中で上記問題点を解消しようとする下げ飾り装身具として、
係止具と、両端部に孔を有するリンク部材と、リンク部材の孔に挿通可能なピンとから成り、隣接するリンク部材の孔を重ね合わせ、その孔にピンを挿入し、ピンを支点として互いに回転自在としたリンク部材を複数個順次連結し、この連結したリンク部材に係止具を取り付け、ピンの両端部をかしめて膨出部として構成した変形装身具がある（例えば特許文献１参照。）。
【０００４】
また、紐状体のネックレス等は、そのままの紐状体での使用またはペンダントを下げ飾るものとして使用されるのがほとんどである。その中で前記欠点を解消しようとする装身用チェーンとして、同一のチェーンからなる異なる長さの装身用チェーンを環状、３方向に、４方向或いは５方向以上に連結して、ネックレスとウエストチェーンを連結して用いたり、種々の態様で使用できると共に、個々にネックレス、ウエストチェーン、ブレスレット、アンクレット等として使用することのできる多目的装身用チェーンがある（例えば特許文献２参照。）。
【０００５】
しかしながら特許文献１の変形装身具は、ピンの両端部をかしめてジョイントとしているために長年の使用または頻繁に形状を変化させると、かしめ部分が緩くなり、任意の形状が維持できなくなる欠点がある。
【０００６】
また、特許文献２の多目的チェーンは、同一のチェーンからなる異なる長さの装身用チェーンを、引輪金具を用いて環状、３方向に、４方向或いは５方向以上に連結した紐状体であるために用途は広がるものの使用するチェーンの本数が必要で経済性に難がある。
【０００７】
【特許文献１】実開平０３−０３１３１０号公報
【特許文献２】登録実用新案第３０３１７８１号公報
【考案の開示】
【考案が解決しようとする課題】
【０００８】
前記事項を鑑み解決しようとする問題点は、簡単な構造の構成にて、操作性がよく、外出場所、服装等にあわせて、簡単に好みの形状に変化させることができる下げ飾り具及び
該下げ飾り具と、紐状体のネックレス、ブレスレット等を連結して形成することのできる経済性にも優れた装身具を提供する。
【課題を解決するための手段】
【０００９】
上記課題を解決するために、請求項１に係る考案は、柔軟性を有する網状の下げ飾り具であって、該下げ飾り具の１ヵ所乃至４ヵ所の何れかの部分を金具と連結して吊り下げてなるものである。
【００１０】
また、請求項２に係る考案は、請求項１に記載の柔軟性を有する網状の下げ飾り具に宝石を配置してなるものである。
【００１１】
また、請求項３に係る考案は、請求項１または２に記載の下げ飾り具を用いた装身具であって、一端に連結金具を、他端に接続材を有する紐状体と、
一端に連結金具を、他端に接続材を有する紐状体に、更に、前記接続材に新たな連結金具を連結して両端に連結金具を有する紐状体とを前記下げ飾り具に連結してなるものである。
【００１２】
また、請求項４に係る考案は、請求項１または２に記載の下げ飾り具を用いた装身具において、一端に連結金具を、他端に接続材を有する紐状体に、更に、前記接続材に新たな連結金具を連結して両端に連結金具を有する紐状体を前記下げ飾り具に連結してなるものである。
【考案の効果】
【００１３】
以上述べたように、柔軟性を有する網状の下げ飾り具の１ヵ所乃至４ヵ所の何れかの部分をイヤリングまたはブローチ金具等と連結して下げ飾る簡単な操作で、好みの形状に変化させての装着ができるとともに宝石を配置することにより、装飾性を向上させた下げ飾り具となった。
【００１４】
また、簡単な操作にて、紐状体であるブレスレット、アンクレット、ネックレスと前記下げ飾りと連結できるために、外出場所、服装等にあわせた好みのネックレス形態にしての装着を可能とした装身具とすることができた。
【考案を実施するための最良の形態】
【００１５】
以下、本考案の目的である簡単な構造の構成にて、好みの形状に変化させることができる下げ飾り具及びそれを用いた装身具の実施形態は、図面を用いて詳細に説明する。
【００１６】
図１は、本考案の請求項１に係わる網状の下げ飾り具１の構成を示し、下げ飾り具１は、６種類の大きさの環３と、３粒に切断した鎖４の構成からなり、
前記環３は、線径φ０.４５ｍｍの丸線を用いて、直径がφ３ｍｍの環３ａと、φ４ｍｍの環３ｂと、φ５ｍｍの環３ｃと、φ６ｍｍの環３ｄと、φ７ｍｍの環３ｅと、φ８ｍｍの環３ｆの６種類の寸法にて形成し、当該環３を、前記鎖４を介して段階的に変化させた状態で連結して１ａ、１ｂ、１ｃ、１ｄの四つ角を設けて形成した。
【００１７】
図２は、請求項２に係わる宝石を配置した下げ飾り具２の実施例を示し、宝石を配置した下げ飾り具２は、６種類の大きさの環３と、３粒に切断した鎖４の構成からなり、
前記環３は、線径φ０.４５ｍｍの丸線を用いて、直径がφ３ｍｍの環３ａと、φ４ｍｍの環３ｂと、φ５ｍｍの環３ｃと、φ６ｍｍの環３ｄと、φ７ｍｍの環３ｅと、φ８ｍｍの環３ｆの寸法にて形成し、該環２ｆ内に宝石５を配置するとともに当該環３を、前記鎖４を介して段階的変化の状態で連結して１ａ、１ｂ、１ｃ、１ｄの四つ角を設けて形成した。
【００１８】
本考案によれば、図１の下げ飾り具１と、図２の宝石を配置した下げ飾り具２は、１ａ、１ｂ、１ｃ、１ｄの四つ角の１ヵ所乃至４ヵ所の何れかの部分をイヤリング、ブローチ金具等と連結して吊り下げることにより、例えば、１ヵ所では略菱形状、２ヵ所では略四角形状、３ヵ所では略三角巾状、４ヵ所では風呂敷包み状に変化させての使用ができるものである。
【００１９】
また、実施例においては、１ａ、１ｂ、１ｃ、１ｄの四つ角部分の何れかと連結、としたが網状であるため連結部分は使用者の好む位置にて連結しても良い。
【００２０】
図３の（ａ）（ｂ）は、本考案の実施に用いた（ａ）紐状体（以下ブレスレットと記述）１０と、（ｂ）紐状体（以下アンクレットと記述）１１を示し、
（ａ）のブレスレット１０は、全長を１９ｃｍとするために、３ｃｍの鎖１３を４本と、３粒に切断した鎖１３ａを７本とを接続環１４及び１４ａを介して連結し、一端に連結金具であるクラスプ２０を有し、他端に接続材とした接続環１４とからなる構成にて形成した。
【００２１】
（ｂ）のアンクレット１１は、全長を２１ｃｍとするために、４ｃｍの鎖１３ｂを４本と、３粒に切断した鎖１３ａを７本とを接続環１４及び１４ａを介して連結し、一端に連結金具であるクラスプ２０を有し、他端に接続材とした接続環１４とからなる構成にて形成した。
【００２２】
本考案によれば、ブレスレット１０と、アンクレット１１は、形状の異なる２種類の鎖の長さを違わせて、接続環を介して連結して形成したが、限定するものではなく、ゴム紐または革紐等を用いても良い。
【００２３】
図４は、図１に示した下げ飾り具１と、図３（ａ）のブレスレット１０と、（ｂ）のアンクレット１１を用いて形成した請求項３に係わる装身具３０を示し、ブレスレット１０の他端に設けた接続環１４に新たにクラスプ２０ａを連結してブレスレット１０ａとして、該クラスプ２０ａを下げ飾り具１の四つ角の一つである１ａの部分に連結、更にアンクレット１１の一端に設けたクラスプ２０を前記１ａの部分に連結して１ヵ所で吊り下げ飾ることにより、下げ飾り具１を略菱形状とするペンダントを有する装身具３０を形成させた。
【００２４】
図５は、図１に示した下げ飾り具１と、図３（ａ）のブレスレット１０に用いたクラスプ２０を引輪金具４０に取り替えたブレスレット１０ｂと、（ｂ）のアンクレット１１のクラスプ２０を引輪金具に４０取り替えたアンクレット１１ａとを用いて形成した装身具３０ａを示し、ブレスレット１０ｂの他端に設けた接続環１４に新たに引輪金具４０ａを連結して、該引輪金具４０ａを下げ飾り具１の四つ角の一つである１ａの部分に連結、更にアンクレット１１ｂの一端に設けた引輪金具４０を下げ飾り具１の四つ角の１ｂの部分に連結して２ヵ所で吊り下げ飾ることにより、下げ飾り具１を略四角形状とするペンダントを有する装身具３０ａを形成させた。
【００２５】
図６は、図１に示した下げ飾り具１と、鎖１３と１３ａとを接続環１４、１４ａを介して連結し構成した一端に装飾金具５０を有し、他端に接続材である接続環１４に新たに装飾金具５０ａを連結して両端に装飾金具５０と５０ａを有するネックレス１２を用いて形成した請求項４に係わる装身具３０ｂを示し、
前記装飾金具５０ａを下げ飾り具１の四つ角の１ｄの部分に連結、更に一端に設けた装飾金具５０を下げ飾り具１の四つ角の１ｂの部分に連結して２ヵ所で吊り下げ飾ることにより、下げ飾り具１を略半円形状とするペンダントを有する装身具３０ｂを形成させた。
【００２６】
図７は、本考案の実施に際して用いた連結金具である（ａ）クラスプ２０と、（ｂ）引輪金具４０と（ｃ）装飾金具５０の各構成を拡大図にて示したもので該図面を用いて説明する。
【００２７】
（ａ）のクラスプ２０は、断面にて図示し、筒体２１と該筒体内に挿入可能な係合体２２とからなり、
前記筒体２１は、円周形状を楕円として、外周壁に嵌合孔２３を設けて形成、
前記係合体２２は、半甲丸線を湾曲形状に成形して前記筒体２１より長さ寸法を長くするとともに筒体２１内に挿入可能な高さにして湾曲したバネ作用部２４と、突起部２５と、接続環１４と連結する鉤状部２６とを設けて形成、
クラスプ２０と接続環１４、１４ａと連結させるには、環１４ａを係合体２２のバネ作用部２４側に通した後、当該係合体２２を筒体２１内に挿入し、該筒体２１を左方向に移動させることにより、係合体２２の突起部２５が嵌合孔２２に嵌り込み連結された状態となり、
また、筒体２１を右方向に移動させることにより、係合体２２の突起部２５が嵌合孔２３から外れて鉤状部２６が開口した状態となる。
【００２８】
（ｂ）の引輪金具４０は、コイルバネ４３以外は断面にて図示し、管状の円環４１と中芯部４２とコイルバネ４３とからなり、
前記管状の円環４１は、一部に切り欠き部４４と、該切り欠き部の一端よりわずかに離れた外周にスリット４５と、該スリットよりわずかに離れた外周に紐状体の一端と連結するＵ字環４６と、前記切り欠き部４４の他端よりわずかに離れた管内に停止部４７とを設けて形成、
前記中芯部４２は、前記スリット４５より突出させ前記管状の円環４１内に移動可能な状態で配置されるとともに前記切り欠き部４４を閉塞するとともに前記管状の円環のスリット４５より突出する取っ手部４８を有するように板材を加工して形成、
前記コイルバネ４３は、前記管状の円環４１内に収容されるとともに前記中芯部４２が前記切り欠き部４４をふさぐ方向に付勢させるのに用いた。
以上の構成からなるものである。
【００２９】
（ｃ）の装飾金具５０は、断面にて図示し、（ａ）のクラスプ２０を基として用い、筒体２１を装飾体５１である中空の丸玉に埋め込んだものであり、装飾体５１として中空の丸玉を用いたが、中空のカットボールまたは真珠等の宝石を用いることでより装飾性を得ることができる連結金具である。
【図面の簡単な説明】
【００３０】
【図１】請求項１に係わる下げ飾り具の実施例を示す正面図である。
【図２】請求項２に係わる宝石を配した下げ飾り具の実施例を示す正面図である。
【図３】紐状体（ブレスレット、アンクレット）を示す正面図である。
【図４】請求項３に係わる装身具の実施例を示す正面図である。
【図５】図４に示した下げ飾り具の吊り下げ状態を変えた実施例を示す正面図である。
【図６】請求項４に係わる装身具の実施例を示す正面図である。
【図７】本考案の装身具を構成させるのに用いた連結金具を示す図である。
【符号の説明】
【００３１】
１    下げ飾り具
２    宝石を配置した下げ飾り具
３    環
４    鎖
５    宝石  
１０    ブレスレット
１１    アンクレット
１２    ネックレス
１３    鎖  
１４    接続環  
２０    クラスプ
２１    筒体
２２    係合体
２３    嵌合孔
２４    バネ作用部
２５    突起部
２６    鉤状部
３０    装身具
４０    引輪金具
４１    管状の円環
４２    中芯部
４３    コイルバネ
４４    切り欠き部
４５    スリット
４６    Ｕ字環
４７    停止部
４８    取っ手部
５０    装飾金具
５１    装飾体
【図１】
0003118498.tif 000003
【図２】
0003118498.tif 000004
【図３】
0003118498.tif 000005
【図４】
0003118498.tif 000006
【図５】
0003118498.tif 000007
【図６】
0003118498.tif 000008
【図７】
0003118498.tif 000009